(57)【要約】【課題】ユーザの意向に高レベルで合致した番組を選択及び抽出できる嗜好データを、装置本体に具備された機能を利用して容易な手順で生成できる放送受信機能付き携帯電話装置を提供する。【解決手段】テレビ受信部７等の放送受信手段と、ユーザの嗜好データを記憶するメモリ４等の嗜好データ記憶手段と、番組情報，メールデータ等の各種情報を取得するユーザデータ入出力部６を備える。ＣＰＵ１には、当該携帯電話装置を、当該携帯電話装置でユーザが使用したデータ（メールデータ等）をユーザデータとして取得するユーザデータ取得手段と、そこで取得したユーザデータを元に嗜好データ記憶手段に記憶する嗜好データの生成及び更新を行う嗜好データ登録手段と、記憶された嗜好データと番組情報とに基づいて、ユーザの嗜好に沿った番組を抽出する番組抽出手段として、機能させるプログラムを備える。【選択図】図１
2006074376.tif 000002
【特許請求の範囲】
【請求項１】
放送番組を受信する放送受信手段を備えた放送受信機能付き携帯電話装置であって、前記放送番組に関する番組情報を受信する番組情報受信手段と、ユーザの嗜好データを記憶する嗜好データ記憶手段と、当該携帯電話装置でユーザが使用したデータをユーザデータとして取得するユーザデータ取得手段と、該ユーザデータ取得手段で取得したユーザデータを元に、前記嗜好データ記憶手段に記憶する嗜好データの生成及び更新を行う嗜好データ登録手段と、前記嗜好データ記憶手段に記憶された嗜好データと前記番組情報受信手段で受信した番組情報とに基づいて、ユーザの嗜好に沿った番組を抽出する番組抽出手段と、を備えたことを特徴とする放送受信機能付き携帯電話装置。
【請求項２】
ユーザ個々の設定データを記憶する設定データ記憶手段を備え、該設定データ記憶手段は、前記設定データとして、前記ユーザデータ取得手段で取得する対象となるユーザデータを、ユーザに選択させるデータ選択手段を有し、前記ユーザデータ取得手段は、前記設定データ記憶手段で記憶された設定データに基づいて、前記データ選択手段で選択されたユーザデータのみを取得することを特徴とする請求項１に記載の放送受信機能付き携帯電話装置。
【請求項３】
メール送受信手段を備え、前記ユーザデータ取得手段は、前記メール送受信手段で送受信されたメールデータを前記ユーザデータとして取得する手段を有することを特徴とする請求項１又は２に記載の放送受信機能付き携帯電話装置。
【請求項４】
メール送受信手段を備え、前記設定データ記憶手段は、前記設定データとして特定のメールアドレスを設定する手段を有し、前記ユーザデータ取得手段は、前記メール送受信手段で送受信されたメールデータのうち、前記設定データ記憶手段で記憶された前記メールアドレスに対応するメールデータのみを、前記ユーザデータとして取得する手段を有することを特徴とする請求項２に記載の放送受信機能付き携帯電話装置。
【請求項５】
ＷＥＢブラウジング手段を備え、前記ユーザデータ取得手段は、前記ＷＥＢブラウジング手段でブラウジングされたＷＥＢデータを前記ユーザデータとして取得する手段を有することを特徴とする請求項１乃至４のいずれか１項に記載の放送受信機能付き携帯電話装置。
【請求項６】
ＷＥＢブラウジング手段を備え、前記設定データ記憶手段は、前記設定データとして特定のＷＥＢアドレスを設定する手段を有し、前記ユーザデータ取得手段は、前記ＷＥＢブラウジング手段でブラウジングされたＷＥＢデータのうち、前記設定データ記憶手段で記憶された前記ＷＥＢアドレスに対応するＷＥＢデータのみを、前記ユーザデータとして取得する手段を有することを特徴とする請求項２に記載の放送受信機能付き携帯電話装置。
【請求項７】
カメラと、該カメラで取得した画像データに含まれる文字列を認識する文字認識手段とを備え、前記ユーザデータ取得手段は、前記文字認識手段で認識された文字列データを前記ユーザデータとして取得する手段を有することを特徴とする請求項１乃至６のいずれか１項に記載の放送受信機能付き携帯電話装置。
【請求項８】
カメラと、該カメラで取得した画像データに含まれるバーコードを認識するバーコード認識手段とを備え、前記ユーザデータ取得手段は、前記バーコード認識手段で認識されたバーコードデータを前記ユーザデータとして取得する手段を有することを特徴とする請求項１乃至７のいずれか１項に記載の放送受信機能付き携帯電話装置。
【請求項９】
赤外線通信手段を備え、前記ユーザデータ取得手段は、前記赤外線通信手段で受信された受信データを前記ユーザデータとして取得する手段を有することを特徴とする請求項１乃至８のいずれか１項に記載の放送受信機能付き携帯電話装置。
【請求項１０】
Ｂｌｕｅｔｏｏｔｈ通信手段を備え、前記ユーザデータ取得手段は、前記Ｂｌｕｅｔｏｏｔｈ通信で受信された受信データを前記ユーザデータとして取得する手段を有することを特徴とする請求項１乃至９のいずれか１項に記載の放送受信機能付き携帯電話装置。
【請求項１１】
外部記憶装置に接続し、該外部記憶装置に記憶された外部データを取得する外部データ取得手段を備え、前記ユーザデータ取得手段は、前記外部データ取得手段で取得された外部データを前記ユーザデータとして取得する手段を有することを特徴とする請求項１乃至１０のいずれか１項に記載の放送受信機能付き携帯電話装置。
【請求項１２】
音声通信手段と、該音声通信手段で通信された音声データを音声認識する音声認識手段とを備え、前記ユーザデータ取得手段は、前記音声認識手段で認識された音声認識データを前記ユーザデータとして取得する手段を有することを特徴とする請求項１乃至１１のいずれか１項に記載の放送受信機能付き携帯電話装置。
【請求項１３】
ユーザからの文字入力を受け付ける文字入力手段と、該文字入力手段における文字入力時の変換履歴をユーザ辞書データとして記憶する辞書データ記憶手段とを備え、前記ユーザデータ取得手段は、前記辞書データ記憶手段に記憶されたユーザ辞書データを前記ユーザデータとして取得する手段を有することを特徴とする請求項１乃至１２のいずれか１項に記載の放送受信機能付き携帯電話装置。
【請求項１４】
前記嗜好データ登録手段は、嗜好データ生成時に、個々のユーザデータ内の語句の結びつきを考慮に入れて、前記嗜好データを生成することを特徴とする請求項１乃至１３のいずれか１項に記載の放送受信機能付き携帯電話装置。
【請求項１５】
時刻取得手段を備え、前記嗜好データ登録手段は、前記ユーザデータの取得時刻を考慮に入れて、前記嗜好データを生成することを特徴とする請求項１乃至１４のいずれか１項に記載の放送受信機能付き携帯電話装置。
【請求項１６】
請求項１乃至１５のいずれか１項に記載の放送受信機能付き携帯電話装置の機能を実現するためのプログラム。
【請求項１７】
請求項１６に記載のプログラムを記録したコンピュータ読み取り可能な記録媒体。
【発明の詳細な説明】
【技術分野】
【０００１】
本発明は、放送受信機能付き携帯電話装置、プログラム、及び記録媒体に関し、より詳細には、ユーザの意向に沿った番組抽出の元となる嗜好データを生成する放送受信機能付き携帯電話装置、そのプログラム、及びそのプログラムを記録したコンピュータ読み取り可能な記録媒体に関する。
【背景技術】
【０００２】
近年、携帯電話装置の高性能化が進み、ＣＰＵ（Ｃｅｎｔｒａｌ  Ｐｒｏｃｅｓｓｉｎｇ  Ｕｎｉｔ）のスペック上昇、省電力、画面描画能力の向上がなされている。それに伴い、携帯電話装置には、カメラ機能、音楽録画再生機能、動画録画再生機能、ゲーム機能などの機能が付加され、さらには携帯電話装置でのテレビ視聴も可能となっている。また、外部との通信方式も従来の音声通話に留まらず、メール、ブラウジング、赤外線通信、Ｂｌｕｅｔｏｏｔｈ通信、外部メモリカード等も使用可能となっている。さらに、携帯電話装置の文字入力手段も進歩し、ユーザ辞書により使用頻度の多い単語の優先変換、単数キー入力による候補表示が可能となっている。
【０００３】
このように、携帯電話装置は、単なる携帯可能な電話に留まらず、複合端末装置としての機能を有し、携帯電話装置内部には多数のユーザデータが保存されることとなった。
【０００４】
一方、テレビの番組検索技術に関しても、従来の紙ベースのテレビ番組表に代わりＥＰＧ（Ｅｌｅｃｔｒｉｃ  Ｐｒｏｇｒａｍ  Ｇｕｉｄｅ）利用したものが主流となりつつあり、ユーザの視聴履歴或いはキーワード入力より作成される嗜好データベースとＥＰＧとを用いて、ユーザの嗜好にあった番組抽出及び自動録画が可能となっている。
【発明の開示】
【発明が解決しようとする課題】
【０００５】
しかしながら、従来のテレビ番組抽出に使用される嗜好データベースの作成方法は、ユーザのキーワード入力や番組の視聴履歴のように方式が限られたものとなっている。携帯電話装置にテレビ機能やラジオ機能が搭載され、ＥＰＧ等の番組表と嗜好データベースを用いて番組の抽出を行う場合、従来の固定機器でのような少ない方式しかない嗜好データベース作成手順では、ユーザの意向に沿った抽出が入力の手間の割には難しいだけでなく、携帯電話装置の入力手段、内部に格納されたユーザデータの情報を生かせない上に、容易な手順での嗜好データベース作成も困難な状況となる。
【０００６】
本発明は、上述のごとき実情に鑑みてなされたものであり、ユーザの意向に高レベルで合致した番組を選択及び抽出できる嗜好データを、装置本体に具備された機能を利用して容易な手順で生成することが可能な、放送受信機能付き携帯電話装置、その装置に組み込むためのプログラム、及び、そのプログラムを記録したコンピュータ読み取り可能な記録媒体を提供することをその目的とする。
【課題を解決するための手段】
【０００７】
本発明は、上述のごとき課題を解決するために、以下の各技術手段でそれぞれ構成される。
第１の技術手段は、放送番組を受信する放送受信手段を備えた放送受信機能付き携帯電話装置であって、前記放送番組に関する番組情報を受信する番組情報受信手段と、ユーザの嗜好データを記憶する嗜好データ記憶手段と、当該携帯電話装置でユーザが使用したデータをユーザデータとして取得するユーザデータ取得手段と、該ユーザデータ取得手段で取得したユーザデータを元に、前記嗜好データ記憶手段に記憶する嗜好データの生成及び更新を行う嗜好データ登録手段と、前記嗜好データ記憶手段に記憶された嗜好データと前記番組情報受信手段で受信した番組情報とに基づいて、ユーザの嗜好に沿った番組を抽出する番組抽出手段と、を備えたことを特徴としたものである。
【０００８】
第２の技術手段は、第１の技術手段において、ユーザ個々の設定データを記憶する設定データ記憶手段を備え、該設定データ記憶手段は、前記設定データとして、前記ユーザデータ取得手段で取得する対象となるユーザデータを、ユーザに選択させるデータ選択手段を有し、前記ユーザデータ取得手段は、前記設定データ記憶手段で記憶された設定データに基づいて、前記データ選択手段で選択されたユーザデータのみを取得することを特徴としたものである。
【０００９】
第３の技術手段は、第１又は第２の技術手段において、メール送受信手段を備え、前記ユーザデータ取得手段は、前記メール送受信手段で送受信されたメールデータを前記ユーザデータとして取得する手段を有することを特徴としたものである。
【００１０】
第４の技術手段は、第２の技術手段において、メール送受信手段を備え、前記設定データ記憶手段は、前記設定データとして特定のメールアドレスを設定する手段を有し、前記ユーザデータ取得手段は、前記メール送受信手段で送受信されたメールデータのうち、前記設定データ記憶手段で記憶された前記メールアドレスに対応するメールデータのみを、前記ユーザデータとして取得する手段を有することを特徴としたものである。
【００１１】
第５の技術手段は、第１乃至第４のいずれかの技術手段において、ＷＥＢブラウジング手段を備え、前記ユーザデータ取得手段は、前記ＷＥＢブラウジング手段でブラウジングされたＷＥＢデータを前記ユーザデータとして取得する手段を有することを特徴としたものである。
【００１２】
第６の技術手段は、第２の技術手段において、ＷＥＢブラウジング手段を備え、前記設定データ記憶手段は、前記設定データとして特定のＷＥＢアドレスを設定する手段を有し、前記ユーザデータ取得手段は、前記ＷＥＢブラウジング手段でブラウジングされたＷＥＢデータのうち、前記設定データ記憶手段で記憶された前記ＷＥＢアドレスに対応するＷＥＢデータのみを、前記ユーザデータとして取得する手段を有することを特徴としたものである。
【００１３】
第７の技術手段は、第１乃至第６のいずれかの技術手段において、カメラと、該カメラで取得した画像データに含まれる文字列を認識する文字認識手段とを備え、前記ユーザデータ取得手段は、前記文字認識手段で認識された文字列データを前記ユーザデータとして取得する手段を有することを特徴としたものである。
【００１４】
第８の技術手段は、第１乃至第７のいずれかの技術手段において、カメラと、該カメラで取得した画像データに含まれるバーコードを認識するバーコード認識手段とを備え、前記ユーザデータ取得手段は、前記バーコード認識手段で認識されたバーコードデータを前記ユーザデータとして取得する手段を有することを特徴としたものである。
【００１５】
第９の技術手段は、第１乃至第８のいずれかの技術手段において、赤外線通信手段を備え、前記ユーザデータ取得手段は、前記赤外線通信手段で受信された受信データを前記ユーザデータとして取得する手段を有することを特徴としたものである。
【００１６】
第１０の技術手段は、第１乃至第９のいずれかの技術手段において、Ｂｌｕｅｔｏｏｔｈ通信手段を備え、前記ユーザデータ取得手段は、前記Ｂｌｕｅｔｏｏｔｈ通信で受信された受信データを前記ユーザデータとして取得する手段を有することを特徴としたものである。
【００１７】
第１１の技術手段は、第１乃至第１０のいずれかの技術手段において、外部記憶装置に接続し、該外部記憶装置に記憶された外部データを取得する外部データ取得手段を備え、前記ユーザデータ取得手段は、前記外部データ取得手段で取得された外部データを前記ユーザデータとして取得する手段を有することを特徴としたものである。
【００１８】
第１２の技術手段は、第１乃至第１１のいずれかの技術手段において、音声通信手段と、該音声通信手段で通信された音声データを音声認識する音声認識手段とを備え、前記ユーザデータ取得手段は、前記音声認識手段で認識された音声認識データを前記ユーザデータとして取得する手段を有することを特徴としたものである。
【００１９】
第１３の技術手段は、第１乃至第１２のいずれかの技術手段において、ユーザからの文字入力を受け付ける文字入力手段と、該文字入力手段における文字入力時の変換履歴をユーザ辞書データとして記憶する辞書データ記憶手段とを備え、前記ユーザデータ取得手段は、前記辞書データ記憶手段に記憶されたユーザ辞書データを前記ユーザデータとして取得する手段を有することを特徴としたものである。
【００２０】
第１４の技術手段は、第１乃至第１３のいずれかの技術手段において、前記嗜好データ登録手段は、嗜好データ生成時に、個々のユーザデータ内の語句の結びつきを考慮に入れて、前記嗜好データを生成することを特徴としたものである。
【００２１】
第１５の技術手段は、第１乃至第１４のいずれかの技術手段において、時刻取得手段を備え、前記嗜好データ登録手段は、前記ユーザデータの取得時刻を考慮に入れて、前記嗜好データを生成することを特徴としたものである。
【００２２】
第１６の技術手段は、第１乃至第１５のいずれかの技術手段における放送受信機能付き携帯電話装置の機能を実現するためのプログラムである。
【００２３】
第１７の技術手段は、第１６の技術手段におけるプログラムを記録したコンピュータ読み取り可能な記録媒体である。
【発明の効果】
【００２４】
本発明によれば、ユーザの意向に高レベルで合致した番組を選択及び抽出可能な、放送受信機能付き携帯電話装置における番組抽出の元となる嗜好データを、装置本体に具備された機能を利用して容易な手順で生成することが可能となり、また、ユーザデータを多数扱うことによりユーザの意向に高いレベルで合致した番組抽出が可能となる。
【発明を実施するための最良の形態】
【００２５】
本発明は、放送受信機能付き携帯電話装置、その装置の機能を実現するためのプログラム、及び、そのプログラムを記録したコンピュータ読み取り可能な記録媒体である。以下、本発明に係る放送受信機能付き携帯電話装置について、テレビ機能付き携帯電話装置を例に挙げて説明するが、放送としてはラジオ放送にも適用できる。また、このプログラム（嗜好データ生成及び番組抽出プログラム）については、ここで例示する装置内に組み込まれ、装置内のメモリ等と連動させ装置内のＣＰＵ等の演算装置を制御して、本発明に係る機能を実現させるものであり、その詳細な説明を省略する。さらに、このプログラムを記録した記録媒体についても、この装置内の演算装置及びメモリ等でなるコンピュータに読み取り可能な記録媒体であればよく、その詳細な説明を省略する。
【００２６】
本発明に係るテレビ機能付き携帯電話装置は、その特徴として、以下で説明する番組情報受信手段，嗜好データ記憶手段，ユーザデータ取得手段，嗜好データ登録手段，番組抽出手段を備えるものとする。また、テレビ機能付き携帯電話装置には、当然、テレビ放送番組を受信する放送受信手段を備え、さらに、放送受信手段だけでなく、通常、テレビを視聴するための表示手段及びスピーカ等の音声再生手段を備えている。
【００２７】
番組情報受信手段は、放送番組に関する番組情報を受信する手段であり、ＥＰＧを利用した番組情報の取得であってもよい。番組情報としては、例えば、時間情報と番組名や番組出演者等を含んだものが挙げられ、録画予約用に使用されることが多い情報である。また、嗜好データ記憶手段は、ユーザの嗜好データを記憶する手段で、記憶装置によりなる。ここで記憶される嗜好データは、番組抽出手段での抽出を容易且つ高速、高精度に実行させるために、データベース形式で嗜好データ記憶手段に格納されることが好ましい。
【００２８】
また、ユーザデータ取得手段は、当該携帯電話装置でユーザが使用したデータをユーザデータとして取得する手段である。ユーザデータ取得手段についての様々な例は後述するが、基本的に放送受信手段及び番組情報受信手段以外、すなわちテレビの視聴によって得られたコンテンツに係わるデータ以外で、ユーザが使用したデータを取得するものである。ここで、ユーザデータはそれ自身が当該携帯電話装置の各種機能をユーザが使用することで生じる毎に、登録用に取得するようにしてもよいし、所定の期間を設定するなどして、当該携帯電話装置の各種機能をユーザが使用する度に蓄積されたものを、登録用に纏めて取得してもよい。なお、得られたコンテンツに係わるデータも、嗜好データとして併せて嗜好データ登録手段で登録してもよいが、本発明の特徴ではなく、その説明を省略する。また、本発明においては、嗜好データ記憶手段に記憶される嗜好データは、当該携帯電話装置に具備された各種機能でユーザが使用したデータであって、このユーザデータ取得手段によって取得されるものであり、元々番組抽出のためのものではないが、それを番組に対する嗜好データとして用いる。
【００２９】
また、嗜好データ登録手段では、ユーザデータ取得手段で取得したユーザデータを元に、嗜好データ記憶手段に記憶する嗜好データを生成し、新規の嗜好データであった場合には新規登録し、そうでない場合には更新登録を行う。嗜好データは、その一例として、ユーザデータに含まれる文字列から抽出した語句の出現頻度に基づくデータなどとするとよい。そして、ここで登録された嗜好データを元に番組抽出手段で番組を抽出する。番組抽出手段では、嗜好データ記憶手段に記憶された嗜好データと番組情報受信手段で受信した番組情報とに基づいて、ユーザの嗜好に沿った番組を抽出する。抽出のタイミングはユーザが希望するときであればよく、希望することが予想されるときであってもよい。
【００３０】
以下、本発明の様々な実施形態を、図を参照しながら詳細に説明していくが、図示する例は、本発明の各実施形態を組み合わせた構成例であり、その一部を構成要素として含まない形態も採り得る。
【００３１】
図１は、本発明の一実施形態に係るテレビ機能付き携帯電話装置のハードウェア構成の一例を示す図である。図１で例示するテレビ機能付き携帯電話装置は、ＣＰＵ１、入力部２、表示部３、メモリ４、発音部５、ユーザデータ入出力部６、テレビ受信部７、及びＲＴＣ（Ｒｅａｌ  Ｔｉｍｅ  Ｃｌｏｃｋ）８を備える。
【００３２】
テレビ放送は、放送受信手段の一例としてのテレビ受信部７よりデータ受信され、音声が音声再生手段の一例としての発音部５により出力され、画像が表示手段の一例としての表示部３により出力される。キー入力などのユーザの入力に関しては入力部２より行われる。入力時のユーザへのガイダンス等は表示部３で行なわれ、入力データは、メモリ４に格納される。メモリ４は、嗜好データ記憶手段の一例でもあり、さらに嗜好データの元となるユーザデータや、番組抽出により録画した録画データの記憶領域ともなる。ユーザデータ入出力部６は、テレビ機能付き携帯電話装置外部とのデータ送受信に用いられ、番組情報受信手段の一例としても機能し、ユーザデータ取得手段において取得するユーザデータの元となる各種データを取得する。ＲＴＣ８は現在時刻の管理に使用され、ユーザデータの更新日時管理等に用いられる。ＣＰＵ１は、上述したユーザデータ取得手段，嗜好データ登録手段，番組抽出手段として、全体の制御を行う。
【００３３】
図２は、図１のテレビ機能付き携帯電話装置におけるメモリの一構成例を詳細に説明するための図である。図２で例示するメモリ４は、プログラム格納領域４１、ユーザ設定格納領域４２、番組情報格納領域４３、ユーザデータ格納領域４４、嗜好データベース４５、及び録画データ４６のそれぞれの格納領域でなる。なお、メモリ４のハード構成は１つのハードウェアに限定されず、複数のハードウェアで構成されてもよい。
【００３４】
プログラム格納領域４１は、ＣＰＵ１の制御の元となるプログラムが格納されている。このプログラムは本発明に係る嗜好データ生成及び番組抽出プログラムであり、上述したユーザデータ取得手段，嗜好データ登録手段，番組抽出手段としてＣＰＵ１等を制御するプログラムである。ユーザ設定格納領域４２は、ユーザが表示部３のガイダンスに基づき入力部２より入力した設定データを格納する。ユーザデータ更新時に、更新内容を自動で嗜好データベース４５に反映させるか否か、嗜好データベース４５の元となるユーザデータの種別等が格納される。番組情報格納領域４３は、ユーザデータ入出力部６（又はテレビ受信部７）より取得したＥＰＧ等の番組情報を格納する。
【００３５】
ユーザデータ格納領域４４は、テレビ機能付き携帯電話装置のユーザデータの格納領域である。ユーザデータは、メール送受信データ４４ａ、画像データ４４ｂ、テキストデータ４４ｃ、ＷＥＢ受信データ４４ｄ、音声データ４４ｅ、電話帳データ４４ｇ等により構成される。ユーザデータは、ユーザデータ入出力部６にて受信したデータの他に、表示部３表示を元にユーザが入力部２より入力したユーザ辞書データ４４ｆも含まれる。
【００３６】
嗜好データベース４５は、番組情報からユーザの意向に合った番組を抽出する元となるデータベースで、ユーザデータ格納領域４４から抽出した単語、ＲＴＣ８にて取得した更新時刻等のデータから構成される。嗜好データベースは１つに限定されることはなく、嗜好データベースＡ（４５ａ），嗜好データベースＢ（４５ｂ），・・・のように複数のデータベースで構成されてもよい。
【００３７】
録画データ４６は、テレビ受信部７より受信した番組を格納する。番組の録画は、ユーザ操作による即時録画、タイマ動作によるタイマ録画、嗜好データベースと番組情報を元にした自動録画が含まれる。また、録画データは、録画データＡ（４６ａ），録画データＢ（４６ｂ），・・・のように複数のデータにより構成される。
【００３８】
図３は、図１のテレビ機能付き携帯電話装置におけるユーザデータ入出力部の一構成例を詳細に説明するための図である。図３で例示するユーザデータ入出力部６は、赤外線通信入出力部６１、カメラ入力部６２、Ｂｌｕｅｔｏｏｔｈ通信入出力部６３、音声データ入出力部６４、メールデータ送受信部６５、ＷＥＢ通信入出力部６６、及び外部記憶装置Ｉ／Ｆ部６７を備える。
【００３９】
赤外線通信入出力部６１は、テレビ機能付き携帯電話装置の赤外線通信を用い、Ｔｅｘｔデータ、電話帳データ等ユーザデータの外部との送受信を行う。カメラ入力部６２は、テレビ機能付き携帯電話装置のカメラ機能を用い、静止画、動画等のユーザデータの受信を行う。静止画にはバーコードや文字データも含まれ、解析後のバーコードデータ、文字データもユーザデータとして保存される。Ｂｌｕｅｔｏｏｔｈ通信入出力部６３は、テレビ機能付き携帯電話装置のＢｌｕｅｔｏｏｔｈ線通信を用い、Ｔｅｘｔデータ、電話帳データ等ユーザデータの外部との送受信を行う。
【００４０】
音声データ入出力部６４は、着信、発信による他の電話装置との音声データの送受信、メモ録、留守録に用いられる。なお、音声認識機能により解析されデータ化された音声データもユーザデータとして保存される。メールデータ送受信部６５は、ユーザが作成したメールの送信、他機器からのメールの受信に用いられ、送受信メールデータともユーザデータとして保存される。ＷＥＢ通信入出力部６６は、ＷＥＢデータ取得に用いられる。ＷＥＢデータ、アドレスは、共にユーザデータとして保存される。外部記憶装置Ｉ／Ｆ部６７は、メモリカード等の外部記憶装置とのインターフェース（Ｉ／Ｆ）で、テレビ機能付き携帯電話装置の内部ユーザデータとメモリカード等の外部記憶装置に格納されるユーザデータの送受信を行う。
【００４１】
図４は、本発明に係るテレビ機能付き携帯電話装置において、ユーザデータを元に嗜好データベースを更新する処理例を説明するためのフロー図である。未起動状態よりユーザ起動（ステップＳ１１）がなされることで、嗜好データベース４５の更新動作が開始され、ユーザデータサーチが行われる（ステップＳ１２）。嗜好データベース４５の元となるユーザデータをサーチ後、それぞれのユーザデータより単語を検索し（ステップＳ１３）、嗜好データベース４５の内容を更新し（ステップＳ１４）、処理を終了する。
【００４２】
図５は、本発明に係るテレビ機能付き携帯電話装置において、番組情報と嗜好データベースよりユーザの嗜好にあった番組を抽出する処理例を説明するためのフロー図である。未起動状態より、テレビ受信部７又はユーザデータ入出力部６で番組データが取得されると（ステップＳ２１）、嗜好データベース４５をサーチし（ステップＳ２２）、そのサーチ情報と番組情報より嗜好データにマッチした番組サーチを行う（ステップＳ２３）。そして、該当番組の有無を判定し（ステップＳ２４）、該当番組があった場合は該当番組の一覧表示を行い（ステップＳ２５）、処理を終了する。一方、ステップＳ２４にて該当番組がない場合、該当番組がない旨をユーザに通知し（ステップＳ２６）、処理を終了する。
【００４３】
図６は、本発明に係るテレビ機能付き携帯電話装置において、ユーザデータが更新されたとき自動的に嗜好データベースを更新する処理例を説明するためのフロー図である。初期状態にてユーザデータが更新されると（ステップＳ３１）、ユーザ格納領域４２に格納されている嗜好データース４５の自動更新設定を元に判定を行い（ステップＳ３２）、自動更新設定がＯＦＦの場合は、処理を終了する。ステップＳ３２にて自動更新判定がＯＮの場合、嗜好データベース４５の元となるユーザデータをサーチし（ステップＳ３３）、サーチ後、それぞれのユーザデータより単語を抽出し（ステップＳ３４）、嗜好データベース４５の内容を更新し（ステップＳ３５）、処理を終了する。
【００４４】
上述のごとき構成により、本発明の一実施形態においては、ユーザデータ入出力部６等で取得してメモリ４に記憶したユーザデータ４４を取得し、そこで取得した情報を元に嗜好データベース４５を作成する。そして、ユーザデータ入出力部６又はテレビ受信部７より入手した番組情報４３からユーザの意向に合った番組を抽出する。ユーザデータ４４は番組抽出用に作成されたものではなく、ユーザがテレビ機能付き携帯電話装置を操作する過程で生成されるため、ユーザの嗜好が反映され、且つ容易な手順での嗜好データベース４５作成が可能となる。
【００４５】
本発明によれば、ユーザの意向に高レベルで合致した番組を選択及び抽出可能な、テレビ機能付き携帯電話装置における番組抽出の元となる嗜好データ（嗜好データベース）を、装置本体に具備された機能（装置本体及びそこに格納されているデータ（或いはそこで作られるデータ））を利用して容易な手順で生成することが可能となり、また、ユーザデータを多数扱うことによりユーザの意向に高いレベルで合致した番組抽出が可能となる。
【００４６】
また、本発明は、他の実施形態として、設定データ記憶手段を備えるようにすることが好ましい。この設定データ記憶手段は、メモリ４におけるユーザ設定格納領域４２に該当するものであり、複数のユーザに対し、ユーザ個々の設定データを記憶する手段である。そして、設定データ記憶手段は、設定データとして、ユーザデータ取得手段で取得する対象となるユーザデータ、すなわち嗜好データとなるべきユーザデータを、ユーザに選択させるデータ選択手段を有する。このデータ選択手段は、当該携帯電話装置のユーザが複数（Ｎ名）居た場合には、現ユーザがその嗜好データとして採用したいユーザ名を、現ユーザに１又は複数選択させるが、典型的には、現ユーザ自身を指定するか、全ユーザを指定するかとなる。また、データ選択手段は、後述する様々な実施形態における取得データ別に、現ユーザがその嗜好データとして採用したい取得データを、現ユーザに１又は複数選択させる。例えば、メールデータ４４ａ，テキストデータ４４ｃのみを選択するなどが例として挙げられる。さらに、ユーザデータ取得手段は、設定データ記憶手段で記憶された設定データに基づいて、データ選択手段で選択されたユーザデータのみを取得する。
【００４７】
このように、本実施形態においては、ユーザ設定格納機能を有し、ユーザ設定により嗜好データベース４５の元となるユーザデータ群を選択できる。すなわち、ユーザが表示部３ガイダンスに従い入力部２より入力したユーザ設定を元に、嗜好データベース４５の作成元となるユーザデータ４４のメンバを選択する。テレビ機能付き携帯電話装置に多数のユーザデータが存在し、特定のユーザデータより嗜好データベース４５を作成する場合に本機能が好適に用いられる。そして、生成された嗜好データベースは、嗜好データベースＡ（４５ａ）のごとく、他の嗜好データベースと別に格納するとよい。
【００４８】
また、本発明は、他の実施形態として、嗜好データ登録手段が、個々のユーザデータ内の語句の結びつきを考慮に入れて、嗜好データを生成するようにすることが好ましい。本実施形態においては、嗜好データベース４５作成時、ユーザデータ４４の単語検索を行い単純に頻度の高い単語をデータベース化するのではなく、個々のユーザデータ内の単語の結びつきを考慮しデータベース化する。具体的な一例を挙げると、一つのメールデータには「早稲田のラーメン屋で・・・」との文章が複数あり、もう一つのメールデータには「秋葉原の電気屋で・・・」との文書が複数あったと仮定する。単純に頻度順単語検索にてデータベースを作成すると、番組検索時に「早稲田の電気屋」の番組も抽出されてしまうことが想定され、ユーザの意向に沿わない検索が行われる。この誤検索を防ぐために、それぞれの文書中の単語のつながりを考慮し「秋葉原」と「電気屋」をセットでデータベース化し、番組検索を行う。
【００４９】
このように、本実施形態では、嗜好データベース作成時、ユーザデータを全ての単語を検索して嗜好データベース４５を作成するのではなく、個々のユーザデータ内の語句の結びつきを考慮に入れることで、高精度の嗜好データベース４５を生成することができ、よりユーザ嗜好に合った番組抽出を可能とする。
【００５０】
また、本発明は、他の実施形態として、時刻取得手段を備えることが好ましい。そして、本実施形態における嗜好データ登録手段は、ユーザデータの取得時刻を考慮に入れて、嗜好データを生成する。本実施形態においては、ＲＴＣ８を使用してユーザデータ４４の作成又は取得時刻を保存するもので、例えば、嗜好データベース４５を時間帯別のデータベースＡ（４５ａ），データベースＢ（４５ｂ），・・・・と分けて保存し、番組検索時によりユーザ嗜好にあったデータベースを使用する。具体的な一例を挙げると、テレビ機能付き携帯電話装置を仕事とプライベートで使用する場合、業務中はユーザデータ４４内容が業務に関係するものが多くなり、プライベートで使用する場合はユーザデータ４４内容がプライベートに関係するものが多くなる。嗜好データベース４５の作成時に、ユーザデータ４４の取得、更新時刻の範囲を限定し、仕事用のデータベース、プライベート用のデータベースのように複数のデータベースをもち、番組検索時によりユーザ嗜好にあったデータベースを選択することでユーザの意向に沿った検索が行われる。
【００５１】
以下、上述した各実施形態におけるユーザデータ取得手段におけるデータ取得に関する複数の実施形態を説明する。ここで説明する処理は、ユーザデータ格納領域に関する説明で触れたように、メール，画像，テキストなどの各種データをユーザデータとして取得するものである。
【００５２】
まず、メールデータ４４ａに関しては、当該携帯電話装置にメールデータ送受信部６５で例示のごときメール送受信手段を備えるものとする。そして、本実施形態におけるユーザデータ取得手段は、メール送受信手段で送受信されたメールデータをユーザデータとして取得する手段を有する。最終的に、取得したメールデータ４４ａがユーザデータとして含まれ、これを元に嗜好データベース４５が生成されることとなる。
【００５３】
また、メールデータ４４ａについては、特定のメールアドレスに関するメールデータ（受信データ及び／又は送信データ）のみをユーザデータとして取得するようにしてもよい。この形態における設定データ記憶手段は、設定データとして特定のメールアドレスを設定する手段を有し、ユーザデータ取得手段は、メール送受信手段で送受信されたメールデータのうち、設定データ記憶手段で記憶されたメールアドレスに対応するメールデータのみを、ユーザデータとして取得する手段を有する。ユーザが表示部３のガイダンスに従い入力部２より入力したユーザ設定を元に、嗜好データベース４５の作成元となるメールデータ４４ａのメールを選択する。親密度の高い相手からのメールデータ内容を元に嗜好データベース４５を作成する場合に本実施形態は適用され、メール受信又は嗜好データベース更新のタイミングで特定のメールアドレスのメールデータ４４ａのメンバを抽出し、嗜好データベース４５を作成する。
【００５４】
ＷＥＢデータ４４ｄに関しては、当該携帯電話装置にＷＥＢ通信入出力部６６で例示のごときＷＥＢブラウジング手段を備えるものとする。本実施形態におけるユーザデータ取得手段は、ＷＥＢブラウジング手段でブラウジングされたＷＥＢデータ４４ｄをユーザデータとして取得する手段を有する。最終的に、取得したＷＥＢデータ（ＷＥＢ取得データ）４４ｄがユーザデータとして含まれ、これを元に嗜好データベース４５が生成されることとなる。
【００５５】
また、ＷＥＢデータ４４ｄについては、特定のＷＥＢアドレスへのアクセスデータのみをユーザデータとして取得するようにしてもよい。この形態における設定データ記憶手段は、設定データとして特定のＷＥＢアドレスを設定する手段を有し、ユーザデータ取得手段は、ＷＥＢブラウジング手段でブラウジングされたＷＥＢデータのうち、設定データ記憶手段で記憶されたＷＥＢアドレスに対応するＷＥＢデータのみを、ユーザデータとして取得する手段を有する。ユーザが表示部３ガイダンスに従い入力部２より入力したユーザ設定を元に、嗜好データベース４５の作成元となるＷＥＢデータ４４ｄの情報を選択する。よりユーザの嗜好の高いＷＥＢページの内容を元に嗜好データース４５を作成する場合に本実施形態は適用され、ＷＥＢアクセス又は嗜好データベース更新のタイミングで特定のＷＥＢデータ４４ｄのメンバを抽出し、嗜好データベース４５を作成する。
【００５６】
画像データ４４ｂに関しては、当該携帯電話装置にカメラ入力部６２で例示のごときカメラと文字認識手段とを備える。文字認識手段は、カメラで取得した画像データに含まれる文字列を認識する手段である。本実施形態におけるユーザデータ取得手段は、文字認識手段で認識された文字列データをユーザデータとして取得する手段を有する。すなわち、文字データをカメラ入力部６２より入手し、それを元に作成した画像データ４４ｂを元に、嗜好データベース４５を作成する。画像データ４４ｂは、文字データをカメラ入力部６２より取得した後、プログラム格納領域４１を元にＣＰＵ１が解析した後の文字情報となる。なお、解析後のデータは、画像データ４４ｂに限定されず、ＴＥＸＴデータ４４ｃのような他のユーザデータ４４に格納される場合もあり、これは画像データ４４ｂと同様、嗜好データベース４５の作成に用いられる。最終的に、取得した画像データ４４ｂから認識した文字列がユーザデータとして含まれ、これを元に嗜好データベース４５が生成されることとなる。
【００５７】
また、画像データ４４ｂの他の例に関しては、当該携帯電話装置にカメラ及びバーコード認識手段を備える。バーコード認識手段は、カメラで取得した画像データに含まれるバーコードを認識する手段である。本実施形態におけるユーザデータ取得手段は、バーコード認識手段で認識されたバーコードデータをユーザデータとして取得する手段を有する。すなわち、バーコードデータをカメラ入力部６２より入手し、それを元に作成した画像データ４４ｂを元に、嗜好データベース４５を作成する。画像データ４４ｂは、バーコードデータをカメラ入力部６２より取得した後、プログラム格納領域４１を元にＣＰＵ１が解析した後のバーコード内容情報となる。なお、解析後のデータは、画像データ４４ｂに限定されず、ＴＥＸＴデータ４４ｃのような他のユーザデータ４４に格納される場合もあり、これは画像データ４４ｂと同様、嗜好データベース４５の作成に用いられる。
【００５８】
赤外線通信データに関しては、当該携帯電話装置に赤外線通信入出力部６１で例示のごとき赤外線通信手段を備えるものとする。ここで、赤外線通信データは、電話帳データ４４ｇやテキストデータ４４ｃなどとして格納されることになる。本実施形態におけるユーザデータ取得手段は、赤外線通信手段で受信された受信データをユーザデータとして取得する手段を有する。すなわち、赤外線通信入出力部６１より取得したユーザデータ４４を元に、嗜好データベース４５を作成する。
【００５９】
また、Ｂｌｕｅｔｏｏｔｈ通信データに関しては、当該携帯電話装置にＢｌｕｅｔｏｏｔｈ通信入出力部６３で例示のごときＢｌｕｅｔｏｏｔｈ通信手段を備えるものとする。ここで、Ｂｌｕｅｔｏｏｔｈ通信データは、電話帳データ４４ｇやテキストデータ４４ｃなどとして格納されることになる。本実施形態におけるユーザデータ取得手段は、Ｂｌｕｅｔｏｏｔｈ通信で受信された受信データをユーザデータとして取得する手段を有する。すなわち、Ｂｌｕｅｔｏｏｔｈ通信入出力部６３より取得したユーザデータ４４を元に嗜好データベース４５を作成する。
【００６０】
外部データに関しては、当該携帯電話装置に外部記憶装置Ｉ／Ｆ部６７で例示のごとき外部データ取得手段を備えるものとする。外部データ取得手段は、外部記憶装置に接続し、外部記憶装置に記憶された外部データを取得する手段である。本実施形態におけるユーザデータ取得手段は、外部データ取得手段で取得された外部データをユーザデータとして取得する手段を有する。すなわち、外部記憶装置Ｉ／Ｆ部６７より取得したユーザデータ４４を元に嗜好データベース４５を作成する。ここでいう外部記憶装置とは、メモリカード等の記憶装置を指し、外部機器にてユーザデータを作成又は取得した後に外部記憶装置Ｉ／Ｆ部６７を用いてユーザデータ４４を更新することを想定する。
【００６１】
音声データ４４ｅに関しては、当該携帯電話装置に音声データ入出力部６４で例示のごとき音声通信手段と音声認識手段とを備えるものとする。本実施形態におけるユーザデータ取得手段は、通話などにより取得して音声認識手段で認識された音声認識データを、ユーザデータとして取得する手段を有する。すなわち、音声データを音声データ入出力部６４より入手し、音声データ４４ｅを元に嗜好データベース４５を作成する。音声データ４４ｅは、音声データを音声データ入出力部６４より取得した後、プログラム格納領域４１を元にＣＰＵ１が音声認識を行い、解析した後の内容情報となる。なお、解析後のデータは、音声データ４４ｅに限定されず、ＴＥＸＴデータ４４ｃのような他のユーザデータ４４に格納される場合もあり、これは音声データ４４ｅと同様、嗜好データベース４５の作成に用いられる。また、音声入出力部６４より取得される音声データは、通話、留守録、メモ録等が想定される。
【００６２】
ユーザ辞書データ４４ｆに関しては、当該携帯電話装置に文字入力手段及び辞書データ記憶手段を備えるものとする。文字入力手段は、ユーザからの文字入力を受け付ける手段であり、辞書データ記憶手段は、文字入力手段における文字入力時の変換履歴をユーザ辞書データとして記憶する手段である。本実施形態におけるユーザデータ取得手段は、辞書データ記憶手段に記憶されたユーザ辞書データをユーザデータとして取得する手段を有する。勿論、ユーザ特有の単語を登録してもよいが、基本的に変換履歴（頻度等）に基づいてユーザ嗜好を割り出すとよい。文字入力に関するユーザデータを有し、文字入力における頻度順検索、単数キーによる候補データをユーザデータとしてこれを元に嗜好データベース４５を作成する。
【００６３】
本実施形態においては、電話帳登録、メール作成時などの文字入力・変換動作にて表示部３のガイダンスを元にユーザが入力部２より入力を行った変換履歴をデータ化し、データ化したユーザ辞書データ４４ｆを元に、嗜好データベース４５を作成する。ユーザ辞書データ４４ｆには、ユーザの使用頻度の高い単語が登録され、使用頻度の多い文字候補が先頭に表示され且つ１キーによる変換も可能となり、嗜好データベース４５の作成をユーザが表示部３のガイダンスを元に入力部２より直接行う場合もユーザ辞書を使用し使用頻度の多い単語を簡易に嗜好データベース４５に登録することが可能となる。
【００６４】
最後に、本発明による嗜好データ生成及び番組抽出の機能を実現するためのプログラムやデータを記憶した記録媒体の実施形態を補足する。記録媒体としては、具体的には、ＣＤ−ＲＯＭ、光磁気ディスク、ＤＶＤ−ＲＯＭ、ＦＤ、フラッシュメモリ、及びその他各種ＲＯＭやＲＡＭ等が想定でき、上述した本発明の各実施形態の携帯電話装置の機能をコンピュータに実行させ、嗜好データ生成及び番組抽出の機能を実現するためのプログラムを、これら記録媒体に記録して流通させることにより、当機能の実現を容易にする。そして、汎用コンピュータ等の情報処理装置に上述のごとくの記録媒体を装着して、携帯電話装置にソフトウェアとして或いはファームウェアとして記憶させて組み込ませておき、必要に応じて読み出すことにより、本発明に係わる嗜好データ生成及び番組抽出の機能を実行することができる。
【図面の簡単な説明】
【００６５】
【図１】本発明の一実施形態に係るテレビ機能付き携帯電話装置のハードウェア構成の一例を示す図である。
【図２】図１のテレビ機能付き携帯電話装置におけるメモリの一構成例を詳細に説明するための図である。
【図３】図１のテレビ機能付き携帯電話装置におけるユーザデータ入出力部の一構成例を詳細に説明するための図である。
【図４】本発明に係るテレビ機能付き携帯電話装置において、ユーザデータを元に嗜好データベースを更新する処理例を説明するためのフロー図である。
【図５】本発明に係るテレビ機能付き携帯電話装置において、番組情報と嗜好データベースよりユーザの嗜好にあった番組を抽出する処理例を説明するためのフロー図である。
【図６】本発明に係るテレビ機能付き携帯電話装置において、ユーザデータが更新されたとき自動的に嗜好データベースを更新する処理例を説明するためのフロー図である。
【符号の説明】
【００６６】
１…ＣＰＵ、２…入力部、３…表示部、４…メモリ、５…発音部、６…ユーザデータ入出力部、７…テレビ受信部、８…ＲＴＣ、４１…プログラム格納領域、４２…ユーザ設定格納領域、４３…番組情報格納領域、４４…ユーザデータ格納領域、４４ａ…メールデータ、４４ｂ…画像データ、４４ｃ…テキストデータ、４４ｄ…ＷＥＢデータ、４４ｅ…音声データ、４４ｆ…ユーザ辞書、４４ｇ…電話帳データ、４５…嗜好データベース、４５ａ…嗜好データベースＡ、４５ｂ…嗜好データベースＢ、４６…録画データ、４６ａ…録画データＡ、４６ｂ…録画データＢ、６１…赤外線通信入出力部、６２…カメラ入力部、６３…Ｂｌｕｅｔｏｏｔｈ通信入出力部、６４…音声データ入出力部、６５…メールデータ送受信部、６６…ＷＥＢ通信入出力部、６７…外部記憶装置Ｉ／Ｆ部。
【図１】
2006074376.tif 000003
【図２】
2006074376.tif 000004
【図３】
2006074376.tif 000005
【図４】
2006074376.tif 000006
【図５】
2006074376.tif 000007
【図６】
2006074376.tif 000008